(57)【要約】【課題】簡易な構成でオーガケーシングの落下防止を図ることができる杭圧入装置を実現する。【解決手段】オーガスクリューＳのオーガヘッドの交換作業に適した高さに配されたオーガケーシングＫをチャック装置１５で保持する際に、ケーシングチャック部２を作動させて、ケーシングチャック部２の可動爪２ａをオーガケーシングＫのケーシングレールＬに設けられた凹部Ｍに嵌入させるようにすることで、オーガケーシングＫの上下動を規制し、物理的にオーガケーシングＫの落下を防止するようにした。【選択図】図２
2014114567.tif 000002
【特許請求の範囲】
【請求項１】
杭とオーガ装置を地中に圧入する杭圧入装置であって、
当該杭圧入装置は、前記杭と前記オーガ装置のオーガケーシングを掴むチャック装置を備え、
前記チャック装置は、前記オーガケーシングに向けて押し出し、前記オーガケーシングを把持するケーシングチャック部を備えており、そのケーシングチャック部が、前記オーガケーシングに設けられた凹部に嵌入することで、前記オーガケーシングの上下動を規制することを特徴とする杭圧入装置。
【発明の詳細な説明】
【技術分野】
【０００１】
本発明は、杭圧入装置に関する。
【背景技術】
【０００２】
従来、杭を地盤に打ち込んで埋設する装置として、既設の杭から反力を取って杭を地中に圧入する杭圧入機が知られている。
杭圧入機は、装置本体と、装置本体の下部に設けられ、既設の杭を掴むクランプ装置と、装置本体の前端部に設けられ、既設の杭に隣接した位置に圧入する杭を挟んで保持するチャック装置とを備えている。この杭圧入機は、クランプ装置で既設杭の上端側を掴み、その既設杭から反力を取った状態で杭を把持するチャック装置を降下させるようにして、杭を地中に圧入するようになっている。
そして、杭圧入機を用い、硬質地盤に対して杭の圧入施工を行う場合にオーガ装置を併用することがある。その際、オーガ装置のオーガケーシングをチャック装置で把持するために、チャック装置は、杭を掴むパイルチャック部と、オーガケーシングを掴むケーシングチャック部とを備えている（例えば、特許文献１，２参照。）。
【０００３】
例えば、図４（ａ）（ｂ）に示すように、チャック装置２５は、杭を掴むパイルチャック部１と、オーガケーシングＫを掴むケーシングチャック部２とを備えている。なお、チャック装置２５が杭を把持していない状態では、パイルチャック部１はオーガケーシングＫを掴むことが可能になっている。
【０００４】
そして、杭の圧入施工時にオーガスクリューＳのオーガヘッドが損傷・摩耗するなどした場合にオーガヘッドを交換することになるが、この交換作業はオーガケーシングＫを把持したチャック装置２５の下方で行われるので、その交換作業時にオーガケーシングＫが落下しないように、オーガケーシングＫをクレーンで吊った状態で交換作業を行うことが好ましい。一方、低空間・狭隘空間などクレーンの設置が困難な現場であっても、オーガヘッドの交換作業を適正に行うために、図４（ａ）（ｂ）に示すように、チャック装置２５に油圧駆動によって出没自在としたロックピン３を配設し、オーガケーシングＫのケーシングレールＬに設けられたレールスリットＨにロックピン３を挿入することで、物理的にオーガケーシングＫの落下を防止する技術が知られている。
【先行技術文献】
【特許文献】
【０００５】
【特許文献１】特許第３０６３８３５号公報
【特許文献２】特許第３２６３０３７号公報
【発明の概要】
【発明が解決しようとする課題】
【０００６】
しかしながら、上記従来技術の場合、チャック装置２５にロックピン３と、そのロックピン３を作動させるための油圧回路などを設けるために、装置構成が煩雑になってしまい、チャック装置２５が大型化したり、コスト増を招いたりするなどの問題があった。
【０００７】
本発明の目的は、簡易な構成でオーガケーシングの落下防止を図ることができる杭圧入装置を提供することである。
【課題を解決するための手段】
【０００８】
以上の課題を解決するため、請求項１に記載の発明は、
杭とオーガ装置を地中に圧入する杭圧入装置であって、
当該杭圧入装置は、前記杭と前記オーガ装置のオーガケーシングを掴むチャック装置を備え、
前記チャック装置は、前記オーガケーシングに向けて押し出し、前記オーガケーシングを把持するケーシングチャック部を備えており、そのケーシングチャック部が、前記オーガケーシングに設けられた凹部に嵌入することで、前記オーガケーシングの上下動を規制することを特徴とする。
【発明の効果】
【０００９】
本発明によれば、簡易な構成でオーガケーシングの落下防止を図ることができる。
【図面の簡単な説明】
【００１０】
【図１】本発明に係る杭圧入装置を側方視して示す概略図である。
【図２】本発明に係るチャック装置を側方視して示す縦断面図（ａ）と、図２（ａ）のII−II線における概略横断面図である。
【図３】チャック装置がオーガケーシングと杭を把持した状態を側方視して示す縦断面図（ａ）と、図３（ａ）のIII−III線における概略横断面図である。
【図４】従来のチャック装置を側方視して示す縦断面図（ａ）と、図４（ａ）のIV−IV線における概略横断面図である。
【発明を実施するための形態】
【００１１】
以下、図面を参照して、本発明に係る杭圧入装置、チャック装置及びオーガケーシングのチャック方法の実施形態について詳細に説明する。
【００１２】
杭圧入装置１０は、図１に示すように、所定の杭Ｐ（例えば、鋼矢板など）を地中に圧入するパイル圧入機であり、既に地中に圧入された既設杭Ｐの上端側を掴んで支持する複数のクランプ装置１１…を備えたサドル１２と、サドル１２に対して前後動可能なスライドベース１３と、スライドベース１３上で左右に旋回可能なリーダマスト１４と、リーダマスト１４の前面に昇降可能に取り付けられたチャック装置１５と、リーダマスト１４に対してチャック装置１５を昇降駆動するメイン油圧シリンダ１６等を備えている。
【００１３】
この杭圧入装置１０は、硬質地盤に対して杭Ｐの圧入施工を行う場合にオーガ装置を併用することができる。つまり、杭圧入装置１０は、杭Ｐとオーガ装置を地中に圧入する圧入装置として機能する。
オーガ装置は、その先端部にオーガヘッドを交換可能に備えるオーガスクリューＳ、そのオーガスクリューＳの周囲を覆う略筒状のオーガケーシングＫ等を備えて構成されている（図２（ａ）参照）。なお、オーガ装置の構成や動作は従来公知のものと同様であるので、ここでは詳述しない。オーガケーシングＫの本発明に関わる部分については後述する。
【００１４】
クランプ装置１１は、サドル１２の下面に設けられている。このクランプ装置１１は、例えば、先に圧入された既設の杭Ｐである鋼矢板の上端側を挟んだ状態で、図示しない油圧シリンダの駆動によりその鋼矢板の上端部を挟持して掴むことができる。つまり、クランプ装置１１は、既設杭Ｐを掴むことで杭圧入装置１０を既設杭Ｐの上端部に固定する固定手段として機能する。
特に、クランプ装置１１は、掴んで支持した既設杭Ｐから反力を取って、杭圧入装置１０が新たに杭Ｐを圧入することができるように、杭圧入装置１０を既設杭Ｐの上端部に固定し設置するようになっている。
【００１５】
スライドベース１３は、サドル１２に対し前方に移動してチャック装置１５を水平に前側に移動させることにより、サドル１２を移動することなく、先頭のクランプ装置１１が支持している既設杭Ｐの先に、新たな杭を順次圧入することを可能にする。
リーダマスト１４は、スライドベース１３に対し左右に旋回可能とされることにより、順次並んで圧入される杭の列の方向を直角に曲げたり、湾曲して曲げたりすることが可能となっている。
【００１６】
チャック装置１５は、その背面側がリーダマスト１４の前面側に昇降可能に嵌合した状態とされるとともに、リーダマスト１４とチャック装置１５に接続されたメイン油圧シリンダ１６により昇降駆動されるようになっている。
また、このチャック装置１５の内部には、図２（ａ）（ｂ）、図３（ａ）（ｂ）に示すように、杭Ｐを掴むパイルチャック部１と、オーガケーシングＫを掴むケーシングチャック部２が設けられている。つまり、チャック装置１５は、パイルチャック部１とケーシングチャック部２とを備えて構成されている。
【００１７】
パイルチャック部１は、図２（ａ）、図３（ａ）に示すように、対向して配置された可動爪１ａと固定爪１ｂを備えており、可動爪１ａは、図示しないシリンダの駆動により作動して固定爪１ｂ側に移動可能となっている。
そして、チャック装置１５にオーガケーシングＫと杭Ｐが上下に貫通するように配された状態でパイルチャック部１を作動させ、パイルチャック部１の可動爪１ａを杭Ｐに向けて押し出すことで、可動爪１ａとオーガケーシングＫの間に杭Ｐを挟み込んで、チャック装置１５がオーガケーシングＫと杭Ｐを把持することができる。このときオーガケーシングＫはケーシングチャック部２によって挟持されている。
なお、チャック装置１５が杭を把持していない状態において、パイルチャック部１は、チャック装置１５に挿通されたオーガケーシングＫを掴むことが可能になっている。
【００１８】
ケーシングチャック部２は、図２（ａ）（ｂ）に示すように、対向して配置された可動爪２ａと固定爪２ｂを備えており、可動爪２ａは、図示しないシリンダの駆動により作動して固定爪２ｂ側に移動可能となっている。なお、可動爪２ａは、オーガケーシングＫの長手方向に沿ってその外周面の左右２箇所に形成されている突条のケーシングレールＬに当接するように、左右一対・上下一対の計４つ設けられている。
そして、チャック装置１５にオーガ装置のオーガケーシングＫが上下に貫通するように配された状態では、オーガケーシングＫのケーシングレールＬが可動爪２ａと固定爪２ｂの間を通されるようになっており、この状態でケーシングチャック部２を作動させ、ケーシングチャック部２の可動爪２ａをオーガケーシングＫに向けて押し出すことで、可動爪２ａと固定爪２ｂの間にケーシングレールＬを挟み込んで、チャック装置１５がオーガケーシングＫを把持するようになっている。
【００１９】
そして、チャック装置１５が把持した杭ＰやオーガケーシングＫ（オーガ装置）を地中に圧入する際、チャック装置１５の昇降範囲は限られているので、杭ＰやオーガケーシングＫを把持してチャック装置１５を下降させることと、杭ＰやオーガケーシングＫを離してチャック装置１５を上昇させることを繰り返すようになっている。これにより、チャック装置１５が昇降する１ストローク分ずつ杭ＰおよびオーガケーシングＫを圧入することが繰り返され、チャック装置１５の昇降範囲より深く杭ＰやオーガケーシングＫを地中に圧入することが可能になっている。
【００２０】
上記した杭圧入装置１０は、既設杭Ｐの先に新たな杭Ｐをチャック装置１５で圧入する動作と、クランプ装置１１による既設杭Ｐの上端部の把持と解除の動作と、サドル１２に対するスライドベース１３の前後動の動作と、を組み合わせることで、既設杭Ｐからなる杭列上を自走し移動することができる。
なお、杭圧入装置１０が杭列上を自走する動作は周知であるので、ここでは詳述しない。
【００２１】
次に、杭圧入装置１０のチャック装置１５によって、オーガケーシングＫの上下動を規制するように保持するオーガケーシングのチャック方法について説明する。
【００２２】
オーガ装置を用いた杭Ｐの圧入施工時にオーガスクリューＳのオーガヘッドを交換する際、その交換作業はオーガケーシングＫを把持したチャック装置１５の下方で行うことになるため、交換作業時にオーガケーシングＫが落下しないように、オーガケーシングＫの上下動を規制する必要がある。
本発明では、オーガケーシングＫのケーシングレールＬに、ケーシングチャック部２の可動爪２ａが嵌入する凹部Ｍを設けることで、オーガケーシングＫの落下防止を図った。
【００２３】
例えば、オーガスクリューＳのオーガヘッドの交換を行う際、交換作業を行い易い高さにオーガケーシングＫをチャック装置１５で保持することになる。
その交換作業に適した高さに配されたオーガケーシングＫをチャック装置１５で保持する場合に、そのオーガケーシングＫのケーシングレールＬにおけるケーシングチャック部２に相当する位置に、ケーシングチャック部２の可動爪２ａが嵌入する凹部Ｍを設けるようにする。
本実施形態では、交換作業に適した高さの配置として、例えば、オーガケーシングＫの下端部が、チャック装置１５の下端部とほぼ一致する配置に配されたオーガケーシングＫをチャック装置１５で保持する場合に、そのオーガケーシングＫのケーシングレールＬにおけるケーシングチャック部２の可動爪２ａに相当する位置に、ケーシングチャック部２の下段側の可動爪２ａが嵌入する凹部Ｍを設けている。
【００２４】
具体的に、オーガスクリューＳのオーガヘッドの交換を行う際、その交換作業を行い易い所定の配置でオーガケーシングＫをチャック装置１５で保持する。
このとき、図２（ａ）（ｂ）に示すように、チャック装置１５のケーシングチャック部２を作動させて、ケーシングチャック部２の下段側の可動爪２ａをケーシングレールＬの凹部Ｍに嵌入させるようにする。
こうしてケーシングチャック部２の可動爪２ａをケーシングレールＬ（オーガケーシングＫ）に設けられた凹部Ｍに嵌入するようにチャックしていれば、オーガケーシングＫの上下動を規制することができるので、可動爪２ａを作動させるシリンダに何らかの異常が生じて保持圧力が低下することや、可動爪２ａとケーシングレールＬの間の摩擦抵抗が低いために滑り易いことがあっても、物理的にオーガケーシングＫの落下を防止することができる。
【００２５】
上記したような、ケーシングチャック部２の可動爪２ａをケーシングレールＬに設けられた凹部Ｍに嵌入するオーガケーシングのチャック方法は、オーガケーシングＫの落下を防止することに優れた手法である。
更に、本実施形態では、オーガスクリューＳのオーガヘッドの交換作業時に、パイルチャック部１によってもオーガケーシングＫを掴んで保持することができるので、ケーシングチャック部２によるオーガケーシングＫの落下防止をパイルチャック部１がサポートするようにして、その落下防止性能を向上させることができる。
【００２６】
以上のように、杭とオーガ装置を地中に圧入することが可能な杭圧入装置１０においてオーガスクリューＳのオーガヘッドの交換を行う場合に、その交換作業に応じた所定位置に配されたオーガケーシングＫをチャック装置１５で保持する際、チャック装置１５のケーシングチャック部２を作動させて、ケーシングチャック部２の可動爪２ａをケーシングレールＬの凹部Ｍに嵌入させることで、オーガケーシングＫの上下動を規制することができる。
このように、ケーシングレールＬの凹部Ｍにケーシングチャック部２の可動爪２ａを嵌入させて、オーガケーシングＫの上下動を規制し、物理的にオーガケーシングＫの落下を防止することができるので、作業者はオーガケーシングＫの落下を心配することなく、オーガスクリューＳのオーガヘッドの交換を行うことができる。
【００２７】
そして、本発明に係る杭圧入装置１０のチャック装置１５には、従来技術のようなロックピン３が設けられておらず、比較的簡素な装置構成を有するので、コスト増を招くことや、装置が大型化してしまうことはない。一方、従来技術のチャック装置２５の場合、進退駆動するロックピン３を配設するピン取付孔を装置機枠に形成するため、その部分の機枠の肉厚を増すようにするなど強度対策が必要であった。
また、従来技術のチャック装置２５がロックピン３を用いることに対し、本発明に係る杭圧入装置１０のチャック装置１５の場合、既存のケーシングチャック部２を利用し、そのケーシングチャック部２の可動爪２ａをケーシングレールＬに設けられた凹部Ｍに嵌入することで、オーガケーシングＫの上下動を規制するようになっているので、既存のチャック装置１５によってオーガケーシングＫの落下を好適に防止することができる。
このように、本発明に係る杭圧入装置１０、チャック装置１５及びオーガケーシングのチャック方法の技術は、簡易な構成でオーガケーシングＫの落下防止を図ることができる優れた技術であるといえる。
【００２８】
なお、以上の実施の形態においては、オーガケーシングＫのケーシングレールＬに、ケーシングチャック部２の可動爪２ａが嵌入する凹部Ｍを設けるとしたが、本発明はこれに限定されるものではなく、ケーシングレールＬにケーシングチャック部２の可動爪２ａが嵌入する貫通孔を設けるようにしてもよい。
【００２９】
また、以上の実施の形態においては、ケーシングチャック部２の下段側の可動爪２ａをケーシングレールＬの凹部Ｍに嵌入させるようにしたが、本発明はこれに限定されるものではなく、ケーシングチャック部２の上段側の可動爪２ａを嵌入する凹部ＭをケーシングレールＬ（オーガケーシングＫ）設けてもよく、また、上下段両方の可動爪２ａを嵌入する凹部ＭをケーシングレールＬ（オーガケーシングＫ）設けてもよい。
【００３０】
また、その他、具体的な細部構造等についても適宜に変更可能であることは勿論である。
【符号の説明】
【００３１】
１      パイルチャック部
１ａ    可動爪
１ｂ    固定爪
２      ケーシングチャック部
２ａ    可動爪
２ｂ    固定爪
１０    杭圧入装置
１５    チャック装置
Ｐ      杭
Ｋ      オーガケーシング
Ｌ      ケーシングレール
Ｍ      凹部
【図１】
2014114567.tif 000003
【図２】
2014114567.tif 000004
【図３】
2014114567.tif 000005
【図４】
2014114567.tif 000006